(57)【要約】【課題】  耳の形状や装着状態にかかわらず、使用者がスピーカから放射される音を良好に聞くことのできるヘッドセットを提供する。【解決手段】  マイクロホン等を収容する本体ケース部４ａと、該本体ケース４ａの底面外側に設けられ且つスピーカＳを収容するスピーカケース部４ｂとからなるケース部材４と、本体ケース部４ａの開放面側を覆うカバー部材５と、スピーカケース部４ｂの開放面側を覆うスピーカカバー部材６とを備える。このスピーカカバー部材６には、スピーカケース部４ｂに収容されたスピーカＳに対して垂直をなす方向にスピーカカバー部材６の底面を貫通する第１の音孔８と、第１の音孔８に直交する方向に開口する第２の音孔９とが形成されている。【選択図】  図２
2005109945.tif 000002
【特許請求の範囲】
【請求項１】
本体部とスピーカ部とからなり、該スピーカ部を使用者の耳に挿入することで装着されるヘッドセットにおいて、
少なくともマイクロホン、回路基板及び電池を収容する本体ケース部と、該本体ケースの底面外側に設けられスピーカを収容するスピーカケース部とからなるケース部材と、
上記本体ケース部の開放面側を覆うカバー部材と、
上記スピーカケース部の開放面側を覆うスピーカカバー部材とを備えてなり、
上記スピーカカバー部材には、当該スピーカカバー部材の底面において厚み方向に貫通する第１の音孔と、第１の音孔に直交する方向に開口する第２の音孔とが形成されていることを特徴とするヘッドセット。
【請求項２】
上記第２の音孔に対応して、スピーカカバー部材に第２の音孔に連なるスリットが形成されていることを特徴とする請求項１記載のヘッドセット。
【請求項３】
上記第１の音孔は、スピーカに対して略垂直をなす方向に形成されていることを特徴とする請求項１記載のヘッドセット。
【発明の詳細な説明】
【技術分野】
【０００１】
本発明は、マイクロホンとスピーカを収容して無線通信を可能とするヘッドセットに関する。
【背景技術】
【０００２】
近年、音声通信用である電話機及び携帯端末の周辺機器等として、ハンズフリーで無線通信可能なヘッドセットが提供され始めている。このヘッドセットでは、無線通信のためのマイクロホンやスピーカ、回路基板等がカバーにて密閉されたケース部材内に収容されている。
【０００３】
そして、上述のヘッドセットには、本体部とスピーカ部とからなり、このスピーカ部自体を使用者の耳に挿入することで装着されるものが提案されている。このようなヘッドセットでは、耳に挿入するスピーカ部内にスピーカが収容され、このスピーカに対して垂直をなす方向に、スピーカからの音を伝達する複数個の音孔が形成されている。（例えば、特許文献１等を参照）
【特許文献１】実開平０７−０３３０９３号公報
【発明の開示】
【発明が解決しようとする課題】
【０００４】
しかしながら、上述した音孔を有するヘッドセットにあっては、使用者の耳の形状や装着状態により、音孔がふさがってしまうことがあり、これによりスピーカから放射される音が使用者に聞こえにくくなることがあるという問題がある。
【０００５】
そこで、本発明は、このような従来の実情に鑑みて提案されたものであり、耳の形状や装着状態にかかわらず、使用者がスピーカから発せられる音を良好に聞くことができるヘッドセットを提供することを目的とする。
【課題を解決するための手段】
【０００６】
上述した目的を達成するために、本発明にかかるヘッドセットは、本体部とスピーカ部とからなり、該スピーカ部を使用者の耳に挿入することで装着されるヘッドセットにおいて、少なくともマイクロホン、回路基板及び電池を収容する本体ケース部と、該本体ケースの底面外側に設けられスピーカを収容するスピーカケース部とからなるケース部材と、上記本体ケース部の開放面側を覆うカバー部材と、上記スピーカケース部の開放面側を覆うスピーカカバー部材とを備えてなり、上記スピーカカバー部材には、当該スピーカカバー部材の底面において厚み方向に貫通する第１の音孔と、第１の音孔に直交する方向に開口する第２の音孔とが形成されていることを特徴とする。
【０００７】
上述した構成の本発明にかかるヘッドセットにおいては、スピーカカバー部材に開口する位置、方向の異なる複数種の音孔が形成されるため、一方の音孔が閉塞された場合であっても、他方の音孔からスピーカの音が使用者に対して伝達される。
【発明の効果】
【０００８】
このように、本発明に係るヘッドセットでは、例えば装着時に使用者の耳の形状や装着状態により、第１の音孔がふさがってしまった場合であっても、第２の音孔からスピーカの音を使用者に対して放射することができるようになり、したがって、使用者の耳の形状や装着状態にかかわらず、使用者がスピーカから発せされる音を良好に聞くことができるようになる。
【発明を実施するための最良の形態】
【０００９】
以下、本発明に係るヘッドセットの具体的な実施の形態について図面を参照しながら詳細に説明する。
【００１０】
本発明のヘッドセット１は、図１に示すように、本体部２と、スピーカ部３とからなり、このスピーカ部３を使用者の耳に挿入することで装着される。そして、本体部２には、装着時に装着者の口の近くまで張り出す部分に集音用のマイクロホンが収容されており、装着者の耳内に挿入されるスピーカ部３には、スピーカがそれぞれ収容されている（以下、このようにマイクロホンが収容された側を前方と称し、この前方とは反対側の部分を後方と称する。このヘッドセットを構成する他の部材についても同様とする。）。
【００１１】
上述したような構成のヘッドセット１は、略楕円形の浅皿状を呈する本体ケース部４ａと、この本体ケース部４ａの底面外側に設けられたスピーカケース部４ｂとからなるケース部材４と、このケース部材４の本体ケース部４ａの開放面側を覆うように強固に取り付けられる略楕円形状のドーム状を呈するカバー部材５と、ケース部材４のスピーカケース部４ｂの開放面側を覆うように強固に取り付けられるスピーカカバー部材６とからなる。
【００１２】
ケース部材４には、本体部２を構成する本体ケース部４ａ部分に上述したマイクロホンや、回路基板等の電子部品、及びこれらの電源となる電池が収容されている。また、ケース部材４には、ケース部材４の本体ケース部４ａの後方側に孔部を有するストラップ取付部７が設けられている。さらに、ケース部材４のスピーカケース部４ｂ部分には、スピーカが収容されており、スピーカ部３を構成している。
【００１３】
カバー部材５は、ある程度剛性を有する硬質の材料にて形成され、上述したように本体ケース部４ａの開放面側を覆うように強固にカバー部材４に対して取り付けられる。ここでは、カバー部材５は、透明プラスチックにより形成されている。
【００１４】
カバー部材５は、本体ケース部４ａに収容されているマイクロホンや回路基板等を保護する役割を果たすが、その一部に開口部が形成され、回路基板に設けられたスイッチ等を操作するボタン等が取り付けられている。本例では、カバー部材５の両側部に、操作ボタンを外部に臨ませるボタン用孔部５ａがそれぞれ形成されている。
【００１５】
スピーカカバー部材６は、上述のカバー部材５と同様に硬質の材料にて形成され、上述したようにスピーカケース部４ｂの開放面側を覆うように強固にカバー部材４に対して取り付けられる。なお、スピーカカバー部材６は、透明プラスチックではなく、例えばスピーカケース部４ｂと同色のプラスチック材料により形成されている。そして、このスピーカカバー部材６は、スピーカケース部４ｂに収容されているスピーカを物理的に保護する。
【００１６】
また、スピーカカバー部材６は、上述したように装着時に使用者の耳に挿入されるスピーカ部３を構成するが、図２及び図３に示すように、内部に収容されたスピーカからの音を外部、具体的には使用者の耳内に伝達するための第１の音孔８及び第２の音孔９が形成されている。
【００１７】
第１の音孔８は、図２に示すように、スピーカケース部４ｂに収容されているスピーカＳに対して垂直をなす方向へスピーカカバー部材６の底面を貫通するように複数個、本例では２個形成されている。これに対し、第２の音孔９は、上記第１の音孔８と直交する方向に形成され、且つ、この第２の音孔９に対応して、スピーカカバー部材６には第２の音孔９と連通するスリット１０が形成されている。
【００１８】
このような構成のヘッドセット１では、上述したように開口する位置、方向の異なる複数種の音孔をスピーカカバー部材６に設けることで、例えば装着時に使用者の耳の形状や装着状態により、第１の音孔８がふさがってしまった場合であっても、第２の音孔９及びスリット１０からスピーカの音を使用者に対して伝達することができるようになる。このため、ヘッドセット１では、使用者の耳の形状や装着状態にかかわらず、使用者がスピーカから発せされる音を良好に聞くことができるようになる。
【図面の簡単な説明】
【００１９】
【図１】本発明に係るヘッドセットの側面図である。
【図２】ヘッドセットのスピーカカバー部材の底面図である。
【図３】図２中Ａ−Ａ線における縦断面図である。
【符号の説明】
【００２０】
１        ヘッドセット
２        本体部
３        スピーカ部
４        ケース部材
４ａ      本体ケース部
４ｂ      スピーカケース部
５        カバー部材
５ａ      ボタン用孔部
６        スピーカカバー部材
７        ストラップ取付部
８        第１の音孔
９        第２の音孔
１０      スリット
【図２】
2005109945.tif 000003
【図３】
2005109945.tif 000004
【図１】
2005109945.tif 000005